(57)【特許請求の範囲】
【請求項１】
保管設備内で製品ユニット（Ｄ）から選別することによって注文を注文ユニット（Ｏ）で利用できるようにすることにより注文を調達する方法において、
前記保管設備が手動保管・選別領域（Ｉ）を有し、
前記保管設備が自動保管・回収ラッキング領域（ＩＩ）を有し、
前記自動保管・回収ラッキング領域（ＩＩ）は、前記手動選別領域（Ｉ）よりも下流側又は上流側に配置されるとともに、出荷領域（ＩＶ）に通じるルーティングコンベア（５）によって前記手動選別領域に接続され、
前記手動保管・選別領域（Ｉ）は、前記ルーティングコンベアの延在部に沿って供給されて配置される手動選別ステーション（２８）を備え、手動選別ステーションは、該手動選別ステーションで選別された注文ユニットを前記ルーティングコンベアに供給し、
前記自動保管・回収ラッキング領域（ＩＩ）は、
注文ユニット及び／又は製品ユニットが保管される複数のマルチレベル保管ラック（Ｒ）を備える保管ラッキング（６，Ｒ）であって、前記保管ラックは、背中合わせで対を成して配置されるとともに、対間に通路（１３）を有する、保管ラッキングと、
注文ユニット及び／又は製品ユニットを前記保管ラッキングへと供給するために設けられる少なくとも１つの保管入口コンベア（１４）と、
注文ユニット及び／又は製品ユニットを前記保管ラッキングから回収するために設けられる少なくとも１つの保管出口コンベア（１５）と、
前記保管ラッキング通路ごとに設けられる少なくとも１つの自動保管・回収装置（１１）であって、自動的な保管及び回収によって注文ユニット及び／又は製品ユニットが保管されて前記保管ラックから回収される、少なくとも１つの自動保管・回収装置と、
注文ユニット及び／又は製品ユニットを前記少なくとも１つの保管出口コンベアへ移送するために使用される少なくとも１つの昇降装置と、
注文を調達するために製品ユニットから注文ユニットへと選別するための少なくとも１つの全自動又は半自動選別ステーション（７）であって、該選別ステーションには前記少なくとも１つの保管出口コンベアによって注文ユニット及び／又は製品ユニットが供給され、前記選別ステーションから注文ユニット及び／又は製品ユニットが前記少なくとも１つの保管入口コンベアによって発送される、少なくとも１つの全自動又は半自動選別ステーションと、
を備え、
注文ユニット及び／又は製品ユニット（Ｕ）は、前記保管ラック自体内の交差搬送位置（Ｑ）を介して供給元保管ラックから隣り合う送り先保管ラックへ向けて２つの隣り合う前記保管ラック（Ｒ）間で直接やりとりされ、
前記ルーティングコンベアは、前記保管ラッキングの少なくとも１つの入庫保管入口コンベア及び／又は少なくとも１つの保管出口コンベアに接続され、
これにより、
前記手動保管・選別領域（Ｉ）からくる完成注文を含む注文ユニットは、前記ルーティングコンベアを介して前記出荷領域へと発送され、或いは、その後の発送のために前記少なくとも１つの保管入口コンベアを介して前記自動保管・回収ラッキング領域（ＩＩ）の前記保管ラッキング内へ導入され、
前記自動保管・回収ラッキング領域（ＩＩ）の前記保管ラッキングからくる完成注文を含む注文ユニットは、前記ルーティングコンベアを介して前記出荷領域へ発送され、
前記自動保管・回収ラッキング領域（ＩＩ）の前記全自動又は半自動選別ステーションからくる完成注文を含む注文ユニットは、前記ルーティングコンベアを介して前記出荷領域へと発送され、或いは、その後の発送のために前記少なくとも１つの保管入口コンベアを介して前記自動保管・回収ラッキング領域（ＩＩ）の前記保管ラッキング内へ導入され、
前記手動保管・選別領域（Ｉ）からくる部分注文を含む注文ユニットは、更なる処理のために前記少なくとも１つの保管入口コンベアを介して前記自動保管・回収ラッキング領域（ＩＩ）の前記保管ラッキング内へ導入され、或いは、即時処理のために前記全自動又は半自動選別ステーション内へ直接導入され、
前記自動保管・回収ラッキング領域（ＩＩ）の前記全自動又は半自動選別ステーション又は保管ラッキングからくる部分注文を含む注文ユニットは、前記自動保管・回収ラッキング領域（ＩＩ）の前記保管ラッキング内へ導入され、或いは、更なる処理のために前記手動保管・選別領域（Ｉ）に導入される、
方法。
【請求項２】
前記自動保管・回収装置（１１）自体は、前記交差搬送位置（Ｑ）にある注文ユニット又は製品ユニット（Ｕ）を移動させることを特徴とする
請求項１に記載の方法。
【請求項３】
供給元ラックの前記自動保管・回収装置（１１）は、隣り合う送り先ラック内の交差搬送位置（Ｑ）へ注文ユニット又は製品ユニット（Ｕ）を配置することを特徴とする
請求項１又は請求項２に記載の方法。
【請求項４】
前記自動保管・回収装置（１１）が入庫バッファ（２５）により供給されるとともに出庫バッファ（２６）へ供給し、前記バッファ（２５，２６）が前記保管ラック（Ｒ）内に配置され、前記交差搬送位置（Ｑ）は、対応する前記保管ラック（Ｒ）の前記入庫バッファ（２５）及び／又は前記出庫バッファ（２６）の直ぐ背後／近傍に配置されることを特徴とする
請求項１から３のいずれか一項に記載の方法。
【請求項５】
保管ラック入口・出口には、少なくとも１つの保管入口コンベア（１４）と、少なくとも１つのリフト（２１）と、少なくとも１つの前記保管出口コンベア（１５）とから成るコンベアループ（８，２４）が形成され、前記少なくとも１つのリフト（２１）は、前記保管入口コンベア（１４）により供給されるとともに、それ自体が前記保管出口コンベア（１５）へ供給することを特徴とする
請求項１から４のいずれか一項に記載の方法。
【請求項６】
保管ラック入口・出口には、少なくとも１つの前記保管入口コンベア（１４）と、２つのリフト（２１）と、少なくとも１つの前記保管出口コンベア（１５）とから成る非ループ型コンベアが形成され、１つ或いは２つの前記リフト（２１）が前記保管入口コンベア（１４）により供給され、１つ或いは２つの前記リフト（２１）が前記保管出口コンベア（１５）へ供給することを特徴とする
請求項１から４のいずれか一項に記載の方法。
【請求項７】
前記出庫コンベアバッファ（２６）が前記コンベアループ（８，２４）へ供給し、前記入庫コンベアバッファ（２５）が前記コンベアループ（８，２４）により供給されることを特徴とする
請求項４又は請求項５に記載の方法。
【請求項８】
前記自動保管・回収装置（１１）は、単一レベル又はマルチレベルのラックサービングマシン、特にシャトル（１１）であることを特徴とする
請求項１から６のいずれか一項に記載の方法。
【請求項９】
前記ルーティングコンベア（５）が１つ又は２つのレベルを有することを特徴とする
請求項１から７のいずれか一項に記載の方法。
【請求項１０】
下位レベル又は上位レベルの前記ルーティングコンベア（５Ａ，Ｂ）のいずれかは、部分的な注文ユニット及び／又は製品ユニットを前記自動保管・回収ラッキング領域（ＩＩ）の前記保管ラッキング（６）から前記全自動又は半自動選別ステーション（７）へ供給し、上位レベル又は下位レベルの前記ルーティングコンベア（５Ａ，Ｂ）のいずれかは、部分的な注文ユニット及び／又は製品ユニットを前記自動保管・回収ラッキング領域（ＩＩ）の前記保管ラッキング（６）へ戻すことを特徴とする
請求項９に記載の方法。
【請求項１１】
上位レベル又は下位レベルの前記ルーティングコンベア（５Ａ）のいずれかが空のユニットを前記全自動又は半自動選別ステーション（７）へ供給することを特徴とする
請求項９又は請求項１０に記載の方法。
【発明の詳細な説明】
【技術分野】
【０００１】
本発明は、請求項１に係る注文調達方法に関する。
【背景技術】
【０００２】
注文調達のために保管設備を動作させる際には、以下に記載されるように幾つかの態様が考慮に入れられなければならない。
【０００３】
例えば物品又は容器などの輸送ユニットから注文を選別し又はまとめている間、共通の注文と関連付けられる輸送ユニット又は保管ユニットを方向性をもった或いは仕分けされた態様で用意することが必要である。また、注文のために必要とされる輸送ユニットの全てが存在するまで、注文の輸送ユニットを中間的に保管する（一時的に格納する）ことが従来から続けられている。これらの輸送ユニットはその後一緒に収集ラインへ送られ、収集ラインは、これらの輸送ユニットを例えばパレット載置領域、選別ステーション、商品出口、出荷等へ導く。
【０００４】
選別ステーションにおいて、注文を調達するための商品は、保管ユニットから引き出されて、注文に従って注文容器等内へ配置される。保管容器（しばしばドナーと呼ばれる）は、その後、元のラッキング保管庫へと経路付けられて、次の注文のために必要とされるまで保管される。
【０００５】
（ハイベイ）ラッキング保管設備は保管入口領域を含み、該保管入口領域を介して商品がやりとりされ、このやりとりで、自動保管・回収マシン（以下、ＡＳ／ＲＳと称される）は、保管庫内、いわゆるフロントゾーン内に配置するために商品を収集する。同様の態様で、回収領域が必要とされ、該回収領域では、保管庫からの回収後、ＡＳ／ＲＳがフロントゾーンに同様に割り当てられる商品を蓄積する。自動選別保管設備の場合には、選別場所が一般にフロントゾーン付近に位置付けられる。また、フロントゾーンでは、商品が在庫管理システム又は物流コンピュータのために識別される。
【０００６】
例えば欧州特許出願公開第１９６４７９２Ｂ１号明細書は、少なくとも１つの収集ラインで輸送ユニットを保管設備から利用できるようにする方法を開示する。それぞれの保管ラッキング通路内のＡＳ／ＲＳ、保管庫からの回収、及び、出庫ラインは、互いに適合されて調整されるように制御されるとともに、商品が取り込まれ、これらの商品は、最終的に保管態様で収集ライン上に行き着き或いは収集ラインから送り出される。
【０００７】
したがって、制御及び適合は、比較的複雑であり、いわゆるフロントゾーンにおいて明らかな技術的作業を要する。すなわち、高い処理能力及び順序付けを達成するために、実際のラッキングの外側の領域が必要である。
【０００８】
また、保管設備内の需要の変動を管理することが難しい。手動選別ステーションを伴う手動作動保管設備は、変動を管理することができ、低い初期コストを有するとともに、限られた物品・低コスト労働状況にわたって一般に非常に少量の物品及び特に多量の物品において非常に有効となり得る。しかしながら、そのような手動作動保管設備は、自動システムと同じ量の注文を扱うために空間的に更に大きくならざるを得ない。また、手作業の進展を適時な態様で制御することが難しい。
【０００９】
高度なオートメーションは、持続的高レベルの高労働コスト状況で需要のためにうまく機能する。しかしながら、自動システムが限界に達すれば、容量の更なる増大は不可能である。また、一部の物品は、自動的に処理して選別することができない。
【先行技術文献】
【特許文献】
【００１０】
【特許文献１】欧州特許出願公開第１９６４７９２Ｂ１号明細書
【発明の概要】
【発明が解決しようとする課題】
【００１１】
これとは対照的に、本発明の目的は、注文調達の需要における変動に対処するべく容量の増減を可能にする注文調達方法を提供することである。
【課題を解決するための手段】
【００１２】
この目的は、請求項１に記載される方法によって達成される。
【００１３】
本発明によれば、特許請求の範囲に記載されるように手動保管・選別領域が自動保管・回収ラッキング領域と組み合わされると、言い換えると、複合型の解決策が提案されると、需要／注文調達の変動率が高い用途或いは非常に遅い移動体又は限られた数の非常に速い移動体の存在を伴う用途に最良に対処できることが分かった。手動選別領域は、非常に遅い移動体及び／非常に速い移動体を経済的且つ効率的な態様で選別するためだけでなく、需要のピーク期間に対処するためにも使用することができる一方で、必要とされないときにＯＦＦに切り換えることもできる。これにより、自動保管・回収ラッキング領域を最適な利用範囲に保つことができる。また、手動選別領域は、自動保管・回収ラッキング領域から保管量の一部を解放する。また、注文調達プロセスを切り離すために自動保管・回収ラッキング領域を使用することもできる。
【００１４】
したがって、自動保管・回収ラッキング領域が手動選別領域の上流側に位置されると、それにより、注文解放に影響を及ぼす注文処理解放の調整・順序付け機能がもたらされる。このことは、注文の選別を何時、何の注文を、どのくらいの量で、及び、どの順序で行われるかについての良好な制御が全自動又は半自動選別ステーションで実施されるとともに、注文を完成させるために注文が手動選別領域へ発送されることを意味する。
【００１５】
自動保管・回収ラッキング領域が手動選別領域の下流側に位置されると、それにより、２つの領域間で注文処理を切り離す機能及び注文解放を管理する機能がもたらされる。このことは、それにより、動作効率の向上をもたらす両方の領域のための支障がない環境と、注文が何時、何を、どのくらいの量で、及び、どの順序で発送領域へと解放されるのかについての良好な制御とがもたらされることを意味する。
【００１６】
本発明によれば、保管設備は、手動選別領域と、自動保管・回収ラッキング領域とを備える。
【００１７】
自動保管・回収ラッキング領域は、手動選別領域よりも下流側又は上流側に配置されるとともに、出荷領域に通じるルーティングコンベアによって手動選別領域に接続される。したがって、ルーティングコンベアは、両方の選別領域を接続するとともに、出荷領域に対する完成注文の発送コンベアとしての役目を果たす。
【００１８】
手動選別領域は、ルーティングコンベアの延在部に沿って配置される手動選別ステーションを備え、この手動選別ステーションは、該手動選別ステーションで選別された注文ユニットをルーティングコンベアに供給する。また、手動選別ステーションには、ルーティングコンベアによって製品ユニット及び／又は注文ユニットが供給される。
【００１９】
また、手動選別領域は、幾つかの異なる注文からの幾つかの製品を組み合わせて共通の容器に入れる手動バッチ選別プロセス（ダーティーバッチピック）によって供給され、このプロセスから、製品は、製品ユニット内へ配置されて、ルーティングコンベア上に置かれる。無論、ルーティングコンベアの供給が他の既知の方法で行われてもよい。
【００２０】
手動選別ステーションは、任意の種類のものであってもよく、また、一時保管庫、例えば、パレットフローラック又は非常に速い移動体のための静的位置、高速移動体のためのフローラック、遅い移動体のための棚、選別壁等を含んでもよい。
【００２１】
自動保管・回収ラッキング領域は、注文ユニット及び／又は製品ユニットが保管される複数のマルチレベル保管ラックを備える保管ラッキングを備え、この場合、保管ラックは、背中合わせで対を成して配置されるとともに、対間に通路を有する。言い換えると、ラックはそれらの間に通路を有し、また、各ラックは、隣り合う通路のラックと当接する。
【００２２】
注文ユニット及び／又は製品ユニットは、少なくとも１つの保管入口コンベアにより保管ラックへ供給されて、少なくとも１つの保管出口コンベアによって回収される。好ましくは、これに限定されないが、保管入口コンベア及び保管出口コンベアは通路ごとに設けられる。
【００２３】
各保管ラッキング通路は、注文ユニット及び／又は製品ユニットの保管及び保管庫からの回収のための少なくとも１つの自動保管・回収装置（ＡＳ／ＲＳ）によって扱われる。好ましくは、各通路の各レベルが専用のＡＳ／ＲＳマシンを有するが、２つ以上のレベルを扱うＡＳ／ＲＳ装置も想定し得る。
【００２４】
注文ユニット及び／又は製品ユニットは、２つの隣り合う保管ラック間で、保管ラック自体内の交差搬送位置を介して、供給元保管ラックから隣接する送り先保管ラックへと直接にやりとりされる。これは、通路の外側での仕分けを伴うことなく更に簡単な態様で保管庫からの仕分けされた回収を可能にする。これにより、技術的な複雑さ及びスペースが減少されて、コストが低減されるとともに、より良好な信頼性が得られる。本発明によれば、輸送ユニット又は保管ユニットが２つの隣り合う保管ラッキングユニット間で１つの保管ラッキング通路の１つのラックから保管ラッキングユニット内の交差搬送位置を介して隣の保管ラッキング通路の隣接するラックへと直接にやりとりされるときにフロントゾーン内での分配及び／又は複雑な仕分けを省くことができることも分かった。これは、最初に輸送ユニットが他の場所に保管されていた場合であっても輸送ユニットが既に単一の保管ラック通路内に保管されるからである。保管庫から回収されるときには、単に輸送ユニットが順々に回収される。
【００２５】
したがって、“交差”コンベアを伴わずに、通路の外側で分配又は仕分けを伴わない輸送ユニットの直接的な移送を達成でき、また、これは、スペースがより小さく信頼性が更に高い、より簡単で更に小さい技術的な設備を伴って達成できる。したがって、単にそれぞれの通路から所要の順序で輸送ユニット又は保管ユニットを回収することができる。これにより、いわゆるフロントゾーンの設置を省略することができる。保管庫は全自動保管庫であることが好ましい。言い換えると、当接するラックの保管ラッキング位置は、輸送ユニットを一方のラッキングから他方のラッキングへ移送できるように、輸送ユニット又は保管ユニットをラッキングの一方側から隣へと通過させるために使用される。
【００２６】
したがって、ラッキングユニット自体の内側で交差搬送又は仕分けが可能であり、そのため、フロントゾーンにおける“交差搬送”を省くことができる。
【００２７】
必要に応じて、特に交差搬送以外の理由のためにフロントゾーンコンベアを省くことができない場合には、フロントゾーンコンベア及び制御システムの複雑さや処理能力の要件を減らしつつ、交差搬送のためのフロントゾーンコンベアの使用をこの概念と組み合わせることができる。
【００２８】
目的にかなった態様で、交差搬送位置が保管ラッキングユニットの各レベルで或いは任意の選択されたレベルで与えられる。
【００２９】
入庫及び出庫コンベアラインに更に近付いて交差搬送位置が配置される場合には、特に有効な経路−時間最適化が達成される。また、交差搬送位置を１レベル内の異なる位置に位置付けることもできる。
また、特に交差搬送位置が輸送ユニット又は保管ユニットの最終送り先通路に属する場合には、交差搬送位置をバッファとして使用することもできる。すなわち、輸送ユニット又は保管ユニットは、それらが実際に必要とされる或いは回収されるまで交差搬送位置にとどまる。
【００３０】
やりとりは、ＡＳ／ＲＳに関して能動的に或いは受動的に行われ得る。すなわち、一方では、交差搬送位置を単に受動的な保管面にすることができ、この保管面上に１つの通路のＡＳ／ＲＳが輸送ユニット又は保管ユニットを堆積させる（外見上、ユニットを保管庫内に置く）とともに、隣接する通路のＡＳ／ＲＳが輸送ユニットを保管面から受ける（外見上、ユニットを保管庫から除去する）。それぞれのラッキング保管位置又は交差搬送位置ごとに、この手続きを常に一方向でのみ或いは両方向で行うことができる。
【００３１】
好ましくは、自動保管・回収装置自体が交差搬送位置にある注文ユニット又は製品ユニットを移動させる。すなわち、ＡＳ／ＲＳ自体が能動的な操作手段であることが最も好ましく、つまり、交差搬送位置でのやりとりのためにもユニットがＡＲ／ＲＳのみによって操作され、これらのユニットがそれ自体の駆動手段を有さない。
【００３２】
交差搬送位置を簡単にするために、交差搬送位置を後付けする或いは再適合させることもでき、また、保管システム内で必要とされる効率のレベルに柔軟に適合することもできる。
【００３３】
やりとりの目的で、ＡＳ／ＲＳは、輸送ユニットを交差搬送位置で二重深さ保管庫内又は多重深さ保管庫内に配置させることも同様にできる。したがって、１つの通路のＡＳ／ＲＳは、交差搬送位置で輸送ユニット又は保管ユニットをそれらが隣接するラッキングに対して既に割り当てられていて“通常は”ＡＳ／ＲＳにより到達され得る深さまで保管庫内に配置できる。言い換えると、供給元ラックの自動保管・回収装置は、注文ユニット又は製品ユニットを隣接する送り先ラック内の交差搬送位置へと配置する。また、荷重受け手段、例えば伸縮式アームが所定の伸長範囲を有することができる。また、輸送ユニット又は保管ユニットの積み重ね保管を使用することもできる。
【００３４】
交差搬送位置が広範囲に利用されて輸送ユニット又は保管ユニットの損傷を減らすようになっているため、摩擦を減らすために交差搬送位置の床をコーティングできれば及び／又は構造的な補強を行うことができれば都合が良い。
【００３５】
ＡＳ／ＲＳが“小荷重”又は単一レベルのラッキングサービングユニットであれば特に好ましい。特に、シャトル又は衛星車両が好ましい。“小荷重”ＡＳ／ＲＳは、幅広い範囲の個々の物品、束ねられた或いは積み重ねられた物品、容器、トレイ、異なるサイズ及び重量のカートンを支持するフレキシブルな荷重ハンドリング装置を有する床走行マルチレベル保管・回収マシンである。また、単一のレールから幾つかのレベルを扱うために本発明と関連して２つの荷重ハンドリングプラットフォーム又は昇降プラットフォームの積層配置を伴うシャトルを使用できる。
【００３６】
特に、いわゆるマルチシャトル（登録商標）が単一レベルＡＳ／ＲＳとして使用される。該シャトルは欧州特許出願公開第１２５４８５２Ａ１号明細書に記載される。マルチシャトル（登録商標）は、一般に広く使用され得るシステムであり、モジュール態様で構成されるとともに、保管と輸送とを統合された概念で組み合わせる。マルチシャトル（登録商標）は、高性能で安価な革新的解決策として自動小部品保管設備の領域を補う。ラッキング内で動作して保管システム全体を扱うのはレール輸送車両である。システム概念は、保管システムの内外で動作する容器輸送用の自律的なレールガイド車両に基づく。特定の荷重受け手段は、短い荷交換時間と同時積み卸しを可能にする。システムは、保管設備の各レベルに設置され或いは昇降され又はプレゾーンで一時停止される走行レールを有する。車両の案内に加えて、それらのレールは車両に電圧を供給する。
【００３７】
シャトルは、２つの配置、すなわち、いわゆる“キャプティブ（ｃａｐｔｉｖｅ）”配置又は“ローミング（ｒｏａｍｉｎｇ）”配置で使用され得る。キャプティブ配置では、シャトルがそれらのそれぞれのレベルにとどまる。ローミングの代替的配置では、必要に応じてシャトルがレベルを変える。
【００３８】
したがって、本発明によれば、任意の通路内の輸送ユニット又は保管ユニットの所望の順序を完全に維持しつつ特に高レベルの回収効率を達成することができる。また、これは、従来技術に従うよりもかなり少ない技術的作業で達成される。
【００３９】
注文ユニット及び／又は製品ユニットを少なくとも１つの保管出口コンベアへ移送するために少なくとも１つのリフト装置が使用される。すなわち、リフトは、保管入口コンベアからくる或いは保管出口コンベアへ向かうことになっている注文ユニット及び／又は製品ユニットのレベル変化を可能にする。通常、これは据置型リフトであるが、リフト機能を有するＡＳ／ＲＳ（“小荷重”）も想定し得る。
【００４０】
随意的に、少なくとも１つのリフトはドライブスルー型のものであり、それにより、ユニットは、ラック内のリフトをあたかもそれがコンベアであるかのように通過できる。
【００４１】
好ましい実施形態では、リフトが通路の各ラック内に設置され、また、各リフトは、保管入口コンベアに接続される入庫リフトであり、或いは、保管出口コンベアに接続される出庫リフトであり、或いは、保管入口コンベア及び保管出口コンベアの両方に接続される入庫・出庫リフトである。
【００４２】
想定し得るリフトは特に垂直搬送手段を含む。輸送ユニット又は保管ユニットのための１つ以上、特に２つの場所／位置を各リフトが有していれば有益である。また、単一レベルＡＳ／ＲＳとリフトとを切り離すための少なくとも１つのバッファ位置を保管ラッキングの各レベルが有していれば都合が良い。これは、より急速な単一レベルＡＳ／ＲＳを十分に利用すること及びリフトの空走行を防止することを可能にする。
【００４３】
また、各リフトが個別に駆動される搬送手段をそれぞれの位置ごとに有していれば有益である。特に、このとき、異なる方向に移動できる個別に駆動される搬送手段をそれぞれが備える２つの位置を各リフトが有していれば都合が良い。したがって、レベルごとの２つの注文ユニット／製品ユニットの移送は、異なる方向で或いは異なる出庫バッファへ向けて、例えば左右で常に同時に行われ得る。また、リフト上への輸送ユニットの受け入れは、好ましくは、２つのユニットが１つのレベルへと送り出されるように制御される。これは、使用されるシャトルの高い効率に起因して可能である。この高い効率は、実際にリフトへの移送位置（バッファ位置）が常に占められているためであり、それにより、リフトの制御のため、１つのレベルの異なるバッファに関してリフトを輸送／保管ユニットにより適宜に占めることができるようにする選択的なオプションが与えられる。
【００４４】
また、自動保管・回収ラッキング領域は、注文を調達するために製品ユニットから注文ユニットへと選別するための少なくとも１つの全自動又は半自動選別ステーションを含み、該選別ステーションには少なくとも１つの保管出口コンベアによって注文ユニット及び／又は製品ユニットが供給され、選別ステーションから注文ユニット及び／又は製品ユニットが少なくとも１つの保管入口コンベアによって発送される。また、幾つかの全自動又は半自動選別ステーションを特に通路ごとに１つずつ使用することもできる。
【００４５】
本出願において、全自動注文選別ステーションは、全自動ユニット（荷物、容器、トレイ、箱等）ハンドリング、すなわち、完全に自動化された供給・排出と製品ユニット及び注文ユニットの提供とを伴うグッズ・トゥ・パーソン（ｇｏｏｄｓ−ｔｏ−ｐｅｒｓｏｎ）原理に従う選別ステーションとして規定される。空の注文ユニット及び発注商品を伴うユニットが自動的に作業ステーションへ供給される。ユニットは、人間工学的に最適な高さで選別ステーションに配置される。通常、そのようなステーションは、依然として製品ユニットから手作業で選び出して注文ユニットへ入れる選別者を方向付ける、選別者に指示する、選別者を制御する、及び、選別者を監視（例えば、右の選別等）する手段も組み込む。選択肢として、全自動プロセスを実現するためにオペレータが自動選別装置／マシンと置き換えられてもよい。
【００４６】
一方、半自動選別ステーションは、今しがた説明した全自動ユニットハンドリングを有さず、ユニットの手動処理を伴う。
【００４７】
注文調達のため、ルーティングコンベアは、保管ラッキングの少なくとも１つの入庫保管入口コンベア及び／又は少なくとも１つの保管出口コンベアに接続される。
【００４８】
これは、
・手動選別領域からくる完成注文を含む注文ユニットを、ルーティングコンベアを介して出荷領域へと発送でき、或いは、その後の発送のために少なくとも１つの保管入口コンベアを介して自動保管・回収ラッキング領域の保管ラッキング内へ導入できるようにし、
【００４９】
・自動保管・回収ラッキング領域の保管ラッキングからくる完成注文を含む注文ユニットをルーティングコンベアを介して出荷領域へ発送できるようにし、
【００５０】
・自動保管・回収ラッキング領域の全自動又は半自動選別ステーションからくる完成注文を含む注文ユニットを、ルーティングコンベアを介して出荷領域へと発送でき、或いは、その後の発送のために少なくとも１つの保管入口コンベアを介して自動保管・回収ラッキング領域の保管ラッキング内へ導入できるようにし、
【００５１】
・手動選別領域からくる部分注文を含む注文ユニットを、更なる処理のために少なくとも１つの保管入口コンベアを介して自動保管・回収ラッキング領域の保管ラッキング内へ導入できるようにし、
【００５２】
・自動保管・回収ラッキング領域の全自動又は半自動選別ステーション又は保管ラッキングからくる部分注文を含む注文ユニットを、自動保管・回収ラッキング領域の保管ラッキング内へ導入でき、或いは、更なる処理のために手動選別領域に導入できるようにする。
【００５３】
これは、必要に応じて即時注文解放又は制御された注文解放を可能にする。
【００５４】
自動保管・回収装置（ＡＳ／ＲＳ）は、入庫バッファにより供給されてもよく、また、出庫バッファへ供給してもよく、この場合、バッファが保管ラック内に配置され、また、交差搬送位置は、対応する保管ラックの入庫バッファ及び／又は出庫バッファの直ぐ背後／近傍に好ましくは配置されるが、これに限定されない。
【００５５】
また、少なくとも１つの保管入口コンベアと、少なくとも１つのリフトと、少なくとも１つの保管出口コンベアを伴うコンベアループを形成することができ、この場合、少なくとも１つのリフトは、保管入口コンベアにより供給されるとともに、それ自体が保管出口コンベアへ供給する。
【００５６】
このとき、出庫バッファがコンベアループへ供給してもよく、また、入庫バッファがコンベアループにより供給され得る。選別ステーションがループに組み込まれるべきである。
【００５７】
好ましくは、ルーティングコンベアが選別レベルごとに１つ又は２つのレベルを有し、また、複数の選別レベルが存在する。特に好ましい実施形態において、下位レベルのルーティングコンベアは、部分的な注文ユニット及び／又は製品ユニットを自動保管・回収ラッキング領域の保管ラッキングから全自動又は半自動選別ステーションへ供給し、また、上位レベルのルーティングコンベアは、部分的な或いは完全な注文ユニット及び／又は製品ユニットを自動保管・回収ラッキング領域の保管ラッキングへ戻す。このとき、下位レベルのルーティングコンベアが空のユニットを全自動又は半自動選別ステーションへ供給することが想定し得る。逆も想定することができ、それにより、上位レベルのルーティングコンベアは、部分的な注文ユニット及び／又は製品ユニット並びに扱っている空のユニットを供給するとともに、下位レベルのルーティングコンベアが部分的な注文ユニット及び／又は製品ユニットを戻す。
【００５８】
システム内でオーダートートを取扱う必要がない場合、１つのレベルコンベアが好ましく、ひいては製品ユニットを次々と振り分けられた上で回収することができ、空オーダーユニットが取扱われることはない。
【００５９】
言うまでもなく、“注文ユニット”又は同様に“製品ユニット”なる用語が使用される場合には、それが限定的に解釈されるべきではなく、実際には、本発明の範囲内で他のタイプの輸送も同様に効果的に使用できる。特に、“製品ユニット”又は“注文ユニット”なる用語は、荷物、トレイ、容器、板紙容器、段ボール箱、物品の積層体、パッケージ又はユニット、パッケージングユニットー−すなわち、個々の物品等の組み合わせ、及び、個々の物品も含む。
【００６０】
注文ユニット／又は製品ユニットは、保管庫内に無作為に（“無秩序状態で”）配置されて、それらが回収されるときにその後の順序の情報を伴うことなくシステム全体にわたって分配され得る。ドイツ特許出願公開第２９９１２２３０Ｕ１号明細書とは対照的に、想定し得るモジュール又は保管領域に関する制限が必要とされない。
【００６１】
本発明は、入庫及び出庫供給ラインを対応するリフトに対して任意のポイントで接続できるため、高度な柔軟性によって更に特徴付けられる。
【００６２】
出庫リフトと並行して、対応して供給する分配送りラインを伴う専用の入庫リフトを設けることも同様に可能である。他方で、出庫動作に加えてそれらの出庫リフトを入庫リフトとして使用することもできるように出庫リフトを制御することもできる。逆のシナリオでは、随意的に存在する専用の入庫リフトを必要に応じて出庫リフトとして使用することもできる。これにより、個々のリフトの故障時に、途切れない動作或いはシステム効率の向上も可能である。この目的を達成するため、リフトとラッキングとの間に異なる高さで入庫ライン又は出庫ラインが配置されなければならない。これは、２つの同様に組み合わされた入庫レベル及び出庫レベルの存在を必要とし、その収集ラインは、最後の出庫ラインを順に通過した後に一緒にされる。
【００６３】
横方向移動機能、すなわち、ＡＳ／ＲＳ自体によるラック内の交差搬送位置の中でのユニットのやりとりは、例えば出庫リフト／入庫リフト又は供給ラインの故障時に関連する通路の機能を維持できるという利点を与える。
【００６４】
本発明の更なる特徴及び詳細は、図面の以下の説明から明らかである。
【図面の簡単な説明】
【００６５】
【図１】手動保管・選別領域と自動保管・選別領域とを有する保管設備の概略平面図を示す。
【図２】図１の自動保管設備におけるラッキング保管庫内のラック間での輸送ユニットのやりとりの典型的な概略平面図を示す。
【図３】単一レベルルーティングコンベアを伴う保管設備における第１及び第２の選別レベルの典型的な概略平面図を示す。
【図４】２レベルルーティングコンベアを伴う更なる保管設備における選別レベルの典型的な概略平面図を示す。
【図５】更なる保管設備の選別レベルと他の保管レベルとから成るドライブスルー型レイアウトの典型的な概略平面図を示す。
【図６】更なる保管設備における第１及び第２の選別レベルと他の保管レベルとから成るドライブスルー型レイアウトの典型的な概略平面図を示す。
【図７】更なる保管設備の保管ラッキングにおける、一対の単一サイクリングリフトと、選別レベルと、他のレベルとから成る片面型レイアウトの典型的な概略平面図を示す。
【図８】更なる保管設備における、一対の二重サイクリングリフトと、オプションを伴う選別レベルと、他のレベルとから成る片面型レイアウトの典型的な概略平面図を示す。
【図１０】リフトが保管ラッキングの外側にある図７，８，９のそれぞれの実施形態の別バージョンを示す。
【図１１】リフトが保管ラッキングの外側にある図７，８，９のそれぞれの実施形態の別バージョンを示す。
【図１２】リフトが保管ラッキングの外側にある図７，８，９のそれぞれの実施形態の別バージョンを示す。
【図１３】更なる保管設備における第１の選別レベルと他の保管レベルとから成るドライブスルー型レイアウトの典型的な概略平面図を示す。
【発明を実施するための形態】
【００６６】
図１には、手動保管・選別領域Ｉと自動保管・回収ラッキング領域ＩＩとを有する保管設備の概略平面図が示される。
【００６７】
自動保管・回収ラッキング領域ＩＩは、手動選別領域Ｉよりも下流側に配置されるとともに、最終的に出荷領域ＩＶに通じるルーティングコンベア５によって手動選別領域Ｉに接続される。
【００６８】
逆も可能であり、その場合には、自動保管・回収ラッキング領域ＩＩは、手動選別領域Ｉよりも上流側に配置されて、ルーティングコンベア５によって手動選別領域Ｉに接続され、また、ルーティングコンベアの端部が出荷領域ＩＶに通じる。
【００６９】
手動保管・選別領域Ｉは、一般に、幾つかの異なる注文からの幾つかの製品を組み合わせて共通の容器に入れる手動バッチ選別プロセスによって供給されるが（ダーティーバッチピック）、これに限定されず、また、共通の容器から製品が製品ユニット内へ配置されてルーティングコンベア５上に配置される。また、手動選別領域Ｉの供給のための別個の選別の使用も想定し得る。
【００７０】
手動バッチ選別プロセスは、手動サービスラック又は棚２が通路３によって分離されるバッチ選別領域ＩＩＩにおいて行われ、選別者１は、自分の選別カート４に乗って通路３に入り、自分に割り当てられた注文に従って物品／製品を収集する。
【００７１】
手動保管・選別領域Ｉは、曲がりくねったルーティングコンベア５の一方側又は両側でルーティングコンベアの延在部に沿って供給されて配置される手動選別ステーション２８を更に備え、手動選別ステーション２８は、該手動選別ステーション２８で選別された注文ユニットＵをルーティングコンベア５に供給する。
【００７２】
選別ステーション２８は、ローラ又はベルトコンベアのような従来の搬送技術によってルーティングコンベアに接続されるとともに、一時保管棚１０を含んでもよく、該一時保管棚から特定の製品が選別されて注文ユニット内へ配置されてもよい。
【００７３】
選別ステーション２８は、別々に操作され或いは二人の選別者によって同時に操作される。
【００７４】
或いは、ゾーンルーティングコンベアを伴うゾーン選別ステーション２８の代わりに“ペースベルトピック”を使用できる。“ペースベルトピック”は、ゾーン迂回システムを伴わない直線状のルーティングコンベアを有し、また、この上を注文ユニットが一貫したペースで走行する。選別者は、各選別ゾーン内で、必要とされる物品を選別して、それらの物品を去り際に注文ユニット内に置く。さもなければ、製品が入れられるまでコンベアが停止する。
【００７５】
以下の実施形態の多くは類似又は同様の装置や設備等を有し、したがって、これらは同じ参照数字により示される。
【００７６】
自動保管・回収ラッキング領域ＩＩは、複数のマルチレベル保管ラックＲを備える保管ラッキング６を備え、該ラッキング内に注文ユニット及び／又は製品ユニットＵが保管される。この場合、保管ラックＲは、背中合わせで対を成して配置されるとともに、対間に通路１３を有する（図２も参照）。
【００７７】
通路１３は、コンベア設備８を介して半自動又は全自動選別ステーション７に接続され、コンベア設備８は、注文ユニット及び／又は製品ユニットＵを保管ラッキング６，Ｒへと供給するために設けられる少なくとも１つの保管入口コンベア１４と、注文ユニット及び／又は製品ユニットＵを保管ラッキング６，Ｒから回収するために設けられる少なくとも１つの保管出口コンベア１５とを含む。
【００７８】
したがって、製品ユニットＤ（ドナー（ｄｏｎｏｒ）のためのＤ）から選別して注文を調達するための注文ユニットＯ（注文（ｏｒｄｅｒ）のためのＯ）内へ入れるための半自動／全自動選別ステーション７は、少なくとも１つの保管出口コンベア１５によって供給され、また、注文ユニット及び／又は製品ユニットは、少なくとも１つの保管入口コンベア１４によって保管ラックへ戻される。
【００７９】
また、ルーティングコンベア５は、少なくとも１つの入庫保管入口コンベア１４と少なくとも１つの保管出口コンベア１５とに対しても接続される。
【００８０】
各保管ラッキング通路１３は、保管ラックＲ内の注文ユニット及び／又は製品ユニットの保管及び回収のために各レベルに設けられる或いは数レベルごとに設けられるシャトル１１の形態を成す１つの自動保管・回収装置を有する。
【００８１】
注文ユニット及び／又は製品ユニットＵは、一方向交換位置Ｑ又は双方向交換位置となり得る保管ラック自体内の交差搬送位置Ｑ（図２参照）を介して供給元保管ラックから隣り合う送り先保管ラックへ向けて２つの隣り合う保管ラックＲ間でやりとりされる。
【００８２】
シャトル１１自体は、その荷操作手段１２を用いて、交差搬送位置Ｑにある注文ユニット又は製品ユニットＵを能動的に移動させ、荷操作手段１２は、ローディングプラットフォームの両側にある伸縮アームであって、ユニット操作レバーを備える。ラックＲ自体の中には能動的な駆動手段が存在しない。
【００８３】
供給元ラックのシャトル１１は、注文ユニット又は製品ユニットＵを隣り合う送り先ラック内の交差搬送位置Ｑへと配置し、それにより、対応する隣の通路内で動作するシャトルは、通常のディープな動作によりユニットを操作できる。言い換えると、供給元シャトルは、通常の単一又は二重のディープ保管、例えば三重ディープの場合よりもディープに動作してやりとりする。
【００８４】
したがって、ユニットＵを保管庫から出すことなく矢印９の方向で保管ラッキング６を通じて移送することができる。
【００８５】
図３に従って、半自動／全自動選別ステーション７は多くの異なる形態を有してもよい。
【００８６】
図３において、半自動選別ステーション７Ａ（左側）は、１つの保管入口コンベア１４及び１つの保管出口コンベア１５を介して保管ラッキング６の通路１３に直接に接続され、保管入口コンベア１４及び保管出口コンベア１５は、当該技術分野においてＲＡＴとも呼ばれる直角移送装置１６，１７によりルーティングコンベア５を介して接続され／ルーティングコンベア５を通過する。
【００８７】
半自動選別ステーション７Ａは、選別者のための１つ／２つの作業場を組み込むとともに、出荷領域ＩＶへの完成注文の直接的な発送のための発送コンベアを間に組み込む。そのようなステーションは、電子商取引の場合のような小口注文にとって理想的である。
【００８８】
これに代えて或いは加えて、１つの保管入口コンベア１４及び１つの保管出口コンベア１５を介してレベルＡで注文ユニットＯ及び製品ユニットＤを受けるように配置される全自動選別ステーション７Ｂが使用されてもよく、保管入口コンベア１４及び保管出口コンベア１５は、前述と同様に直角移送装置１６，１７によりルーティングコンベア５を介して接続され／ルーティングコンベア５を通過するが、注文ユニットＯのためのサービスコンベア１９Ａ及び製品又はドナーユニットＤのためのサービスコンベア２０Ａで終端する。
【００８９】
しかしながら、注文ユニットＯ及び製品又はドナーユニットＤの発送は、更に高いレベルＢ（右側）で注文ユニットＯのためのサービスコンベア１９Ｂ及び製品又はドナーユニットＤのためのサービスコンベア２０Ｂによって行われる。これは、レベルＡで保管入口コンベア１４へと経路付けるレベル変更コンベア装置１８によって達成される。
【００９０】
ルーティングコンベア５は、レベルＡに１つのレベルのみを有し、完成注文を出荷ステーションＩＶへ供給するために使用され得る。
【００９１】
或いは、図４に描かれるように、ルーティングコンベア５は、２つのレベル５Ａ，５Ｂを有し、すなわち、それぞれのレベルＡ（左側），Ｂ（右側）に１つの搬送レベルを有してもよい。
【００９２】
レベルＡにおいて、選別ステーション７Ｃには前述と同様の注文ユニットＯ及び製品ユニットＤが供給されるが、サービスコンベア１９Ａ，２０Ａは、保管出口コンベア１５と直接に一直線に合わされず、ルーティングコンベア５Ａ上の下流側に位置され、ＲＡＴ１７を使用して到達可能である。
【００９３】
したがって、レベルＢは、更に高いレベルＢ（右側）での注文ユニットＯのためのサービスコンベア１９Ｂ及び製品又はドナーユニットＤのためのサービスコンベア２０Ｂによるステーション７Ｃからの注文ユニットＯ及び製品ユニットＤの発送のために使用される。サービスコンベア１９Ｂは、（レベルＡと同様に）保管入口コンベア１４と一直線に合わされず、下流側のＲＡＴ１６を介する。一方、サービスコンベア２０Ｂは保管入口コンベア１４と一直線に合わされる。したがって、ステーション７Ｃからの注文ユニットＯは、ＲＡＴ１６を通過して、ルーティングコンベア５上で下流側に搬送されてもよく、一方、製品ユニットＤは、元の保管庫へと直接に経路付けられ得る。また、注文ユニットＯがＲＡＴ１６により保管庫へと向きを変えられてもよい。
【００９４】
したがって、前述した保管・選別は、以下を可能にする。
【００９５】
・手動保管・選別領域Ｉからくる完成注文を含む注文ユニットは、ルーティングコンベア５を介して出荷領域ＩＶへと発送され、或いは、その後の発送のために少なくとも１つの保管入口コンベアを介して自動保管・回収ラッキング領域ＩＩの保管ラッキング６内へ導入され、
【００９６】
・自動保管・回収ラッキング領域（ＩＩ）の保管ラッキング６からくる完成注文を含む注文ユニットは、ルーティングコンベア５を介して出荷領域ＩＶへ発送され、
【００９７】
・自動保管・回収ラッキング領域（ＩＩ）の半自動選別ステーション７からくる完成注文を含む注文ユニットは、ルーティングコンベア５を介して出荷領域へと発送され、或いは、その後の発送のために少なくとも１つの保管入口コンベア１４を介して自動保管・回収ラッキング領域（ＩＩ）の保管ラッキング６内へ導入され、
【００９８】
・手動保管・選別領域（Ｉ）からくる部分注文を含む注文ユニットは、更なる処理のために少なくとも１つの保管入口コンベア１４を介して自動保管・回収ラッキング領域（ＩＩ）の保管ラッキング６内へ導入され、或いは、即時処理のために半自動／全自動選別ステーション７内へ直接に導入され、
【００９９】
・自動保管・回収ラッキング領域（ＩＩ）の半自動／全自動選別ステーション７からくる部分注文を含む注文ユニットは、自動保管・回収ラッキング領域の保管ラッキング内へ導入されて、更なる処理のために半自動／全自動選別ステーション７へ回収される。
【０１００】
注文ユニット及び／又は製品ユニットを少なくとも１つの保管出口コンベア１５へ移送するべく、及び、保管入口コンベア１４から注文ユニット及び／又は製品ユニットを受けるべく、少なくとも１つのリフト２１がユニットのレベルを変えるために使用される。リフト２１は、複数のユニットを同時に運ぶために、ユニットのための複数の位置を有してもよい。
【０１０１】
幾つのリフト２１が使用されてこれらがどのように配置されるのかは、具体的な実施によって決まる。以下、図５，６，７を参照して、幾つかの想定し得る実施について説明する。
【０１０２】
図５において、レベルＡのラッキングは、入庫コンベア２２を伴う保管入口コンベア１４に接続され、入庫コンベア２２はドライブスルー型のリフト２１Ａへとつながる。また、無論、リフト２１がユニットのレベル変更を可能にしてもよい。例えば他の保管レベルＢでは、このレベルにあるシャトル１１がユニットをそれぞれ拾い上げ或いは降ろすことができるように、リフト２１がバッファコンベア２６によって供給されてバッファコンベア２５へと発送する。
【０１０３】
ユニットをラッキングから選別ステーション７等へ発送するために、ユニットは、レベルＡにあるリフト２１Ａから出庫コンベア２３へと搬送され、該出庫コンベア２３から、ユニットは、ＲＡＴ又はプラー２７（ｐｕｌｌｅｒ）を介して出口ループコンベア２４へと向きを変えられ、その後、保管出口コンベア１５へと向けられる。或いは、ユニットは、ＲＡＴ２７を通過してレベルＡにあるバッファコンベア２５へ向かってもよい。レベルＡのラッキングから発送されるべきユニットは、出口ループコンベア２４に接続されるレベルＡのシャトル１１によりバッファコンベア２６上へ降ろされる。
【０１０４】
複数の選別ステーションレベルが存在する場合には、追加のコンベアループを加えることができる。
【０１０５】
図６に係る構成は、図５の構成に非常に類似している。しかしながら、レベルＡの実施がレベルＢでは鏡面関係を成し、それにより、レベルＡがリフト２１Ａ及び出口ループコンベア２４Ａによって扱われ、出口ループコンベア２４Ａがリフト２１Ｂを通り過ぎ、リフト２１Ｂは、出口ループコンベア２４Ｂと共にレベルＢを扱い、出口ループコンベア２４Ｂがリフト２１Ａを通り過ぎる。このシナリオの下で、レベルＡで保管されるユニットはレベルＢへ回収されず、逆もまた同様であり、一方、他の保管レベルで保管されるユニットをレベルＡ及びレベルＢの両方へ回収することができ、逆もまた同様である。
【０１０６】
各レベルＡ，Ｂは、その後、前述したように、単一レベル又は二重レベルルーティングコンベア５又は選別ステーション等へ供給されてもよい。
【０１０７】
３つ以上の選別ステーションレベルが存在する場合には、時計回り方向又は反時計回り方向のいずれか一方或いは両方に進む追加のコンベアループを各リフトに加えることができる。
【０１０８】
図６における他の保管レベルＣでは、このレベルにあるシャトル１１がユニットをそれぞれ拾い上げ或いは降ろすことができるように、リフト２１がバッファコンベア２６によって供給されて各ラック内のバッファコンベア２５へと発送する。
【０１０９】
レベルＡ，Ｂにおいて破線により示されるように、バッファコンベア２５，２６、シャトル１１、及び、ＲＡＴ２７、並びに、交差搬送位置Ｑは、これらの選別レベルにおいて随意的である。
【０１１０】
図７において、各通路１３は、各ラックＲに１つずつ、一対のリフト２１を有し、一方が入庫輸送用のリフト２１Ａであり、他方が出庫輸送用のリフト２１Ｂであり、その場合、ルーティングコンベア５又は選別ステーション７から／ルーティングコンベア５又は選別ステーション７へそれぞれ供給される入庫コンベア２２がそれを供給し、出庫コンベア２４がそれから受ける。他のレベルＢは図６のレベルＣに類似するが、それらのレベルは、図示のように１つのラック内にそれぞれ１つのバッファコンベア２６及び１つのバッファコンベア２５のみを有する。
【０１１１】
そのような構成により、任意のレベルで保管されるユニットを任意の選別レベルへ経路付けることができ、逆もまた同様である。
【０１１２】
複数の選別ステーションレベルが存在する場合には、追加の一対の入庫コンベア及び出庫コンベアを加えることができる。
【０１１３】
図８では、通路１３の各ラックが図７の場合のようにリフト２１を有する。しかしながら、この実施形態は、ルーティングコンベア又は選別ステーションからの／ルーティングコンベア又は選別ステーションへのそれぞれのリフトを供給してリフトから受ける２つの入庫コンベア及び２つの出庫コンベア２２，２４を通路ごとに有する。２つの入庫コンベア２２は直接にレベルＡにあり、また、２つの出庫コンベア２４はレベルＡ−１にあり、該レベルＡ−１は、レベルＡを大きく下回るレベルではなく、レベルＡの直ぐ下のレベルであり、それらは２つとも全てが１つの選別レベルを供給することができ、また、下回る２つが同じ選別レベルからの戻りを取得する。
【０１１４】
他の保管レベルＢ，Ｃでは、リフト処理能力及び更に良好な経路付けを向上させるために、バッファコンベアの更なる対を加えることができる。随意的なバッファコンベアにより、任意のレベルで保管されるユニットを任意の選別レベルへ経路付けることができ、逆もまた同様である。レベルＢからレベルＣ（など）へとバッファコンベアがそれらの搬送方向をあらゆるレベルで或いは数レベルごとに交互に入れ替えられる。すなわち、各レベルのバッファコンベアの更なる対が割り当てられない場合には、偶数レベルでラックＲが特定方向のバッファコンベアを有し、また、奇数レベルでラックが反対方向のバッファコンベアを有する。そのような構成は、リフト性能を向上させる二重サイクルリフト動作を実現する。
【０１１５】
複数の選別ステーションレベルが存在する場合には、入庫コンベア及び出庫コンベアの追加の対を加えることができる。
【０１１６】
図９の実施形態は、一対の入庫及び出庫コンベア／通路が図７の場合のように通路１３のラックＲにより交互に入れ替わり、それにより、各レベルＡが２つの入庫コンベア及び２つの出庫コンベアを有するという点において図８とは異なる。このレベルＡを下回るのが第２のレベルＡ−Ａであり、このレベルＡ−Ａは、ここでは、２つの選別レベルにユニットが供給されるようにレベルＡを大きく下回るレベルである。
【０１１７】
図１０，１１，１２では、リフトが保管ラッキングの外側にある図７，８，９のそれぞれの実施形態の別のバージョンが描かれる。これを達成するために、シャトル１１のためのレールがラッキングの外側でリフト２１に至るまで延びる。さもなければ、図１０が図７に従う。図１１及び図１２では、随意的なバッファコンベアが示されないが、別な方法では、それらのバッファコンベアも前述したように図８及び図９に従う。
【０１１８】
図１３は、図５（又は図６）に示される実施形態と図８に示される実施形態との組み合わせに類似する。
【０１１９】
非選別レベルＢは図８の場合と同じである。
【０１２０】
選別レベルＡは、入庫コンベア２２がドライブスルー型のリフト２１Ａへと通じるという点において図５又は図６に類似する構成を有する。無論、リフト２１がユニットのレベル変更を可能にしてもよい。ユニットをラッキングから選別ステーション７等へ発送するために、ユニットは、レベルＡにあるリフト２１Ａから出庫コンベア２３へと搬送され、該出庫コンベア２３から、ユニットは、ＲＡＴ又はプラー２７を介して出口ループコンベア２４へと向きを変えられ、その後、保管出口コンベア１５へと向けられる。或いは、ユニットは、ＲＡＴ２７を通過してレベルＡにあるバッファコンベア２５へ向かってもよい。レベルＡのラッキングから発送されるべきユニットは、出口ループコンベア２４に接続されるレベルＡのシャトル１１によりバッファコンベア２６上へ降ろされる。
【０１２１】
図５又は図６とは対照的に、レベルＡは、２つの昇降キャリッジの動力を単一の選別ステーションレベルと共に利用できるように、コンベア２２，２３と共に同じレベルの第２のリフト２１Ｂも有する。
【０１２２】
図５又は図６とは対照的に、レベルＢは、その機能を実現するために一対のバッファコンベアのみを必要とする。しかしながら、リフト処理能力及び更に良好な経路付けを向上させるために更なる対を加えることができる。随意的なバッファコンベアにより、任意のレベルで保管されたユニットを任意のリフトへ経路付けることができ、逆もまた同様である。バッファコンベアがそれらの搬送方向をあらゆるレベルで或いは数レベルごとに交互に入れ替えられる。すなわち、各レベルのバッファコンベアの更なる対が割り当てられない場合には、偶数レベルでラックＲが特定方向のバッファコンベアを有し、また、奇数レベルでラックが反対方向のバッファコンベアを有する。そのような構成は、リフト性能を向上させる二重サイクルリフト動作を実現する。
【０１２３】
レベルＡにおいて破線により示されるように、バッファコンベア２５，２６、シャトル１１、及び、ＲＡＴ２７、並びに、交差搬送位置Ｑは、これらの選別レベルにおいて随意的である。
【０１２４】
以上の実施形態は、本発明の範囲内において、互いに多くの方法で組み合わされてもよい。
【図１】
0006279730.tif 000002
【図２】
0006279730.tif 000003
【図３】
0006279730.tif 000004
【図４】
0006279730.tif 000005
【図５】
0006279730.tif 000006
【図６】
0006279730.tif 000007
【図７】
0006279730.tif 000008
【図８】
0006279730.tif 000009
【図９】
0006279730.tif 000010
【図１０】
0006279730.tif 000011
【図１１】
0006279730.tif 000012
【図１２】
0006279730.tif 000013
【図１３】
0006279730.tif 000014